(57)【特許請求の範囲】
【請求項１】
複数の画素を有する表示パネル；
前記表示パネルと重畳するように配置されたバックカバー；
前記バックカバー及び前記表示パネルをワインディング（ｗｉｎｄｉｎｇ：巻き取ること）またはアンワインディング（ｕｎｗｉｎｄｉｎｇ：巻き取られた物を送り出すこと）させるように構成され、平面部及び曲面部を有するローラー；及び
前記バックカバーを前記ローラーに固定するように構成され、前記ローラーと前記バックカバーとの間に配置され、前記平面部から前記曲面部の一部まで連続して配置される固定部材を含む、表示装置。
【請求項２】
前記平面部上に配置されるトップカバー；及び
前記トップカバーを前記平面部に固定するための結合部材をさらに含み、
前記トップカバーは、曲面形状の外周面を有する、請求項１に記載の表示装置。
【請求項３】
前記表示パネルの一端に配置されたフレキシブルフィルム；及び
前記フレキシブルフィルムと連結された印刷回路基板をさらに含み、
前記フレキシブルフィルム及び前記印刷回路基板は、前記ローラー及び前記トップカバーの間に配置される、請求項２に記載の表示装置。
【請求項４】
前記印刷回路基板は、前記フレキシブルフィルムと連結された一端及び前記一端の反対側の他端を含み、
前記印刷回路基板の他端は、前記フレキシブルフィルムと重畳するように配置される、請求項３に記載の表示装置。
【請求項５】
前記固定部材は、前記平面部に隣接した前記曲面部の一部に配置され、前記バックカバーを前記ローラーに固定させる、請求項１に記載の表示装置。
【請求項６】
前記曲面部の前記一部は、前記曲面部の他の一部に比して曲率半径が小さい、請求項１に記載の表示装置。
【請求項７】
前記表示パネルは、表示領域、及び前記表示領域の側部から延びて、フレキシブルフィルムが貼り付けられるパッド領域を含み、
前記パッド領域は、前記固定部材により前記ローラーに固定される、請求項１に記載の表示装置。
【請求項８】
前記表示領域は、前記ローラーによりワインディングまたはアンワインディングされる、請求項７に記載の表示装置。
【請求項９】
前記バックカバー及び前記表示パネルが移動できる開口部を含むハウジング部をさらに含み、
前記開口部は、前記表示パネルが完全にワインディングされた場合、前記表示領域の一部の領域が外部から視認されるように構成された、請求項７に記載の表示装置。
【請求項１０】
前記開口部の少なくとも一部に配置され、前記ハウジング部に固定されるウィンドウをさらに含む、請求項９に記載の表示装置。
【請求項１１】
映像を表示するための表示パネル；
前記表示パネルと共に巻かれ得るように構成されるバックカバー；
平面部及び曲面部を含むローラー；
前記ローラーに前記バックカバーを接着させる固定部材；及び
前記平面部上で前記ローラーに固定されるトップカバーを含み、
前記固定部材は、前記ローラーと前記バックカバーとの間に配置され、前記平面部から前記曲面部の一部まで連続して配置される、表示装置。
【請求項１２】
前記固定部材は、前記平面部及び前記平面部と隣接した前記曲面部の一部に配置される、請求項１１に記載の表示装置。
【請求項１３】
前記バックカバーは、
前記平面部に配置される固定領域；
前記固定領域から延びて、前記表示パネルが重畳する可撓性領域を含み、
前記固定領域の一部及び前記可撓性領域の一部は、前記固定部材により前記ローラーに固定される、請求項１２に記載の表示装置。
【請求項１４】
前記ローラー及び前記トップカバーの間に配置され、前記表示パネルの一端に連結されるフレキシブルフィルム；及び
前記フレキシブルフィルムの他端に連結される印刷回路基板を含み、
前記印刷回路基板の中心部は、前記フレキシブルフィルム上に配置される、請求項１１に記載の表示装置。
【請求項１５】
前記バックカバー及び前記表示パネルが前記ローラーに完全にワインディングされた場合、前記表示パネルの一部を視認できる開口部を含むハウジング部をさらに含む、請求項１１に記載の表示装置。
【請求項１６】
前記表示パネルの一部は、前記平面部と隣接した前記曲面部の一部に固定され、
前記表示パネルの他の一部は、前記ローラーにワインディングまたはアンワインディングされる、請求項１５に記載の表示装置。
【発明の詳細な説明】
【技術分野】
【０００１】
本発明は、表示装置に関し、より詳細には、信頼性が改善されたローラブル（ｒｏｌｌａｂｌｅ：巻き取りタイプの）表示装置に関する。
【背景技術】
【０００２】
コンピュータのモニタやＴＶ、携帯電話等に使用される表示装置には、自ら光を発光する有機発光表示装置（Ｏｒｇａｎｉｃ  Ｌｉｇｈｔ  Ｅｍｉｔｔｉｎｇ  Ｄｉｓｐｌａｙ；ＯＬＥＤ）等と、別途の光源を要する液晶表示装置（Ｌｉｑｕｉｄ  Ｃｒｙｓｔａｌ  Ｄｉｓｐｌａｙ；ＬＣＤ）等がある。
【０００３】
表示装置は、コンピュータのモニタ及びＴＶだけではなく、個人携帯機器までその適用範囲が多様になっており、広い表示面積を有しながらも減少した体積及び重さを有する表示装置についての研究が進行している。
【０００４】
また、近年は、フレキシブル（ｆｌｅｘｉｂｌｅ）素材であるプラスチック等のように柔軟性のある基板に表示部、配線等を形成して、くるくる巻いても画像表示が可能に製造されるローラブル表示装置が次世代の表示装置として注目を集めている。
【発明の概要】
【発明が解決しようとする課題】
【０００５】
本発明が解決しようとする課題は、表示装置のワインディング（ｗｉｎｄｉｎｇ：巻き取ること）またはアンワインディング（ｕｎｗｉｎｄｉｎｇ：巻き取られた物を送り出すこと）時、バックカバー及び表示パネルに発生する応力を最小化できる表示装置を提供することである。
【０００６】
本発明が解決しようとする他の課題は、表示装置のフルアンワインディング（完全に送り出した状態）時、表示パネルの一部を外部から視認できる表示装置を提供することである。
【０００７】
本発明が解決しようとする他の課題は、フレキシブルフィルムと印刷回路基板の損傷を低減できる表示装置を提供することである。
【０００８】
本発明の課題は、以上において言及した課題に制限されず、言及されていないまた他の課題は、下記の記載から当業者に明確に理解され得るだろう。
【課題を解決するための手段】
【０００９】
本発明の一実施例に係る表示装置は、複数の画素を有する表示パネル、表示パネルと重畳するように配置されたバックカバー、バックカバー及び表示パネルをワインディング（ｗｉｎｄｉｎｇ）またはアンワインディング（ｕｎｗｉｎｄｉｎｇ）させるように構成され、平面部及び曲面部を有するローラー、及びバックカバーをローラーに固定するように構成され、平面部及び曲面部の一部に配置される固定部材を含むことができる。
【００１０】
本発明の他の実施例に係る表示装置は、映像を表示するための表示パネル、表示パネルと共に巻かれ得るように構成されるバックカバー、平面部及び曲面部を含むローラー、ローラーにバックカバーを接着させる固定部材、及び平面部上でローラーに固定されるトップカバーを含むことができる。
【００１１】
その他の実施例の具体的な事項は、詳細な説明及び図面に含まれている。
【発明の効果】
【００１２】
本発明は、バックカバー及び表示パネルの一部をローラーに固定して、ローラーに固定された表示パネルの一部が表示装置のワインディングまたはアンワインディング時にも常に固定されるようにして、バックカバー及び表示パネルに発生する応力を最小化することができる。
【００１３】
本発明は、表示パネルの表示領域の一部を視認できる開口部を配置して、表示装置のフルワインディング（完全に巻き取られた状態）時、外部から表示領域の一部を視認することができる。
【００１４】
本発明は、フレキシブルフィルムと印刷回路基板をローラーの平面部上に配置して、フレキシブルフィルムと印刷回路基板の駆動安定性を強化することができる。
【００１５】
本発明に係る効果は、以上において例示された内容により制限されず、さらに多様な効果が本発明内に含まれている。
【図面の簡単な説明】
【００１６】
【図１ａ】本発明の一実施例に係る表示装置の概略的な斜視図である。
【図１ｂ】本発明の一実施例に係る表示装置の概略的な斜視図である。
【図２】本発明の一実施例に係る表示装置の斜視図である。
【図３】本発明の一実施例に係る表示装置の断面図である。
【図４】本発明の一実施例に係る表示装置の表示部の平面図である。
【図５】本発明の一実施例に係る表示装置の表示部の断面図である。
【図６】本発明の一実施例に係る表示装置のバックカバーの平面図である。
【図７ａ】本発明の一実施例に係る表示装置の締結前の構造を説明するための分解断面図である。
【図７ｂ】本発明の一実施例に係る表示装置の固定部材の配置に対する斜視図である。
【図７ｃ】本発明の一実施例に係る表示装置の締結後の構造に対する断面図である。
【図８ａ】本発明の一実施例に係る表示装置の断面図である。
【図８ｂ】本発明の一実施例に係る表示装置の断面図である。
【図９】本発明の他の実施例に係る表示装置の断面図である。
【図１０】本発明のまた他の実施例に係る表示装置の断面図である。
【発明を実施するための形態】
【００１７】
本発明の利点及び特徴、そして、それらを達成する方法は、添付の図面と共に詳細に後述されている実施例を参照すると、明確になるだろう。しかし、本発明は、以下において開示される実施例に制限されるものではなく、互いに異なる多様な形状に具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００１８】
本発明の実施例を説明するための図面に開示された形状、面積、比率、角度、個数等は、例示的なものであるので、本発明は、図示された事項に制限されるものではない。明細書全体にわたって、同じ参照符号は、同じ構成要素を指す。また、本発明を説明するにあたって、関連した公知技術についての具体的な説明が本発明の要旨を不要に濁す恐れがあると判断される場合、その詳細な説明は省略する。本発明上において言及された「含む」、「有する」、「なされる」等が使用される場合、「〜だけ」が使用されない以上、他の部分が加えられ得る。構成要素を単数で表現した場合、特に明示的な記載事項がない限り、複数を含む場合を含む。
【００１９】
構成要素を解釈するにあたって、別途の明示的な記載がなくても誤差範囲を含むものと解釈する。
【００２０】
位置関係についての説明である場合、例えば、「〜上に」、「〜上部に」、「〜下部に」、「〜隣に」等と二部分の位置関係が説明される場合、「すぐ」または「直接」が使用されない以上、二部分の間に一つ以上の他の部分が位置してもよい。
【００２１】
素子または層が異なる素子または層の「上（ｏｎ）」と称されるものは、他の素子のすぐ上または中間に他の層または他の素子を介在した場合をいずれも含む。
【００２２】
また、第１、第２等が多様な構成要素を述べるために使用されるが、これらの構成要素は、これらの用語により制限されない。これらの用語は、単に一つの構成要素を他の構成要素と区別するために使用するものである。従って、以下において言及される第１構成要素は、本発明の技術的思想内で第２構成要素であってもよい。
【００２３】
明細書全体にわたって、同じ参照符号は、同じ構成要素を指す。
【００２４】
図面で示された各構成の面積及び厚さは、説明の便宜のために示されたものであり、本発明は、示された構成の面積及び厚さに必ずしも限定されるものではない。
【００２５】
本発明の様々な実施例のそれぞれの特徴は、部分的または全体的に互いに結合または組み合わせ可能であり、技術的に多様な連動及び駆動が可能であり、各実施例が互いに対して独立して実施可能であってもよく、関連関係で共に実施してもよい。
【００２６】
以下においては、添付の図面を参照して、本発明の多様な実施例を詳細に説明する。
【００２７】
＜表示装置−ローラブル表示装置＞
ローラブル表示装置は、くるくる巻いても画像表示が可能な表示装置と称され得る。ローラブル表示装置は、従来の一般的な表示装置と比較して高いフレキシビリティを有することができる。ローラブル表示装置の使用の有無によって、ローラブル表示装置は、形状が自由に変更され得る。具体的に、ローラブル表示装置を使用しないとき、ローラブル表示装置をくるくる巻いて体積を減少させて保管できる。逆に、ローラブル表示装置を使用するとき、くるくる巻かれたローラブル表示装置をまた広げて使用することができる。
【００２８】
図１ａ及び図１ｂは、本発明の一実施例に係る表示装置の斜視図である。図１ａ及び図１ｂを参照すると、本発明の一実施例に係る表示装置１００は、表示部ＤＰ及びハウジング部ＨＰを含む。
【００２９】
表示部ＤＰは、ユーザに映像を表示するための構成であり、例えば、表示素子と、表示素子を駆動するための回路、配線及び部品等が配置され得る。このとき、本発明の一実施例に係る表示装置１００は、ローラブル表示装置であるので、表示部ＤＰは、ワインディング（ｗｉｎｄｉｎｇ）またはアンワインディング（ｕｎ−ｗｉｎｄｉｎｇ）が可能であるように構成され得る。例えば、表示部ＤＰは、ワインディングまたはアンワインディングが可能であるようにフレキシビリティ（ｆｌｅｘｉｂｉｌｉｔｙ）を有する表示パネル及びバックカバーからなり得る。表示部ＤＰについてのより詳細な説明は、図４乃至図６を参照して後述する。
【００３０】
ハウジング部ＨＰは、表示部ＤＰが収納され得るケースである。表示部ＤＰは、ワインディングされてハウジング部ＨＰの内部に収納され得、表示部ＤＰは、アンワインディングされてハウジング部ＨＰの外部に配置され得る。
【００３１】
ハウジング部ＨＰは、開口部ＨＰＯを含むことができる。開口部ＨＰＯは、表示部ＤＰがハウジング部ＨＰの内部及び外部に移動できるようにすると同時に、表示部ＤＰがフルワインディングされた場合、表示部ＤＰの一部が外部から視認されるように構成され得る。ハウジング部ＨＰについてのより詳細な説明は、図８ａ及び図８ｂを参照して後述する。
【００３２】
一方、表示装置１００の表示部ＤＰは、フルアンワインディング（ｆｕｌｌ  ｕｎｗｉｎｄｉｎｇ）された状態からフルワインディング（ｆｕｌｌ  ｗｉｎｄｉｎｇ）された状態に、またはフルワインディングされた状態からフルアンワインディングされた状態に転換され得る。
【００３３】
図１ａにおいては、表示装置１００の表示部ＤＰがフルアンワインディングされた状態を示しており、フルアンワインディングされた表示装置１００の表示部ＤＰがハウジング部ＨＰの外部に配置された状態である。即ち、ユーザが表示装置１００を通して映像を視聴するために、表示部ＤＰがアンワインディングされてハウジング部ＨＰの外部に最大限配置され、それ以上アンワインディングできない状態をフルアンワインディングされた状態と定義できる。
【００３４】
図１ｂにおいては、表示装置１００の表示部ＤＰがフルワインディングされた状態を示しており、フルワインディングされた表示装置１００の表示部ＤＰがハウジング部ＨＰの内部に収納され、それ以上ワインディングできない状態である。即ち、ユーザが表示装置１００を通して映像を視聴しない場合は、表示部ＤＰがハウジング部ＨＰの外部に配置されないことが外観の側面から有利であるので、表示部ＤＰがワインディングされてハウジング部ＨＰの内部に収納された状態をフルワインディングされた状態と定義できる。また、表示部ＤＰがハウジング部ＨＰの内部に収納されたフルワインディングされた状態である場合、表示装置１００の体積が小さくなり、運搬が容易であり得る。
【００３５】
一方、表示部ＤＰをフルアンワインディングされた状態またはフルワインディングされた状態に転換するために、表示部ＤＰをワインディングまたはアンワインディングする駆動部が配置される。
【００３６】
＜駆動部＞
図２は、本発明の一実施例に係る表示装置の斜視図である。図３は、本発明の一実施例に係る表示装置の断面図である。図３は、本発明の一実施例に係る表示装置１００のローラー１５１及び表示部ＤＰを説明するための概略的な断面図である。説明の便宜のために、図３においては、ハウジング部ＨＰ、ローラー１５１及び表示部ＤＰだけを示している。
【００３７】
まず、図２を参照すると、駆動部ＭＰは、ローラー部１５０及び昇降部１６０を含む。
【００３８】
ローラー部１５０は、時計回りまたは反時計回りに回転してローラー部１５０に固定された表示部ＤＰをワインディングまたはアンワインディングする。ローラー部１５０は、ローラー１５１及びローラー支持部１５２を含む。
【００３９】
ローラー１５１は、表示部ＤＰがワインディングされる部材である。ローラー１５１は、例えば、円筒形状になされ得る。ローラー１５１に表示部ＤＰの下側エッジが固定され得る。ローラー１５１が回転すると、ローラー１５１に下側エッジが固定された表示部ＤＰがローラー１５１にワインディングされ得る。これに対して、ローラー１５１が反対方向に回転すると、ローラー１５１にワインディングされた表示部ＤＰがローラー１５１からアンワインディングされ得る。
【００４０】
図３を参照すると、ローラー１５１は、外周面の少なくとも一部分が平面になされ、外周面の残りの部分が曲面になされた円筒形状になされ得る。ローラー１５１は、全体的に円筒形状であるが、一部分が平面になされ得る。即ち、ローラー１５１の外周面の一部分は平らに形成され、外周面の残りの部分は曲面に形成される。ローラー１５１の平面部分は、表示部ＤＰの複数のフレキシブルフィルム１３０及び印刷回路基板１４０が安着される部分であってよい。ただし、ローラー１５１は、完全な円筒形状であるか、表示部ＤＰをワインディングできる任意の形状であってもよく、これに制限されるものではない。
【００４１】
また図２を参照すると、ローラー支持部１５２は、ローラー１５１の両側でローラー１５１を支持する。具体的に、ローラー支持部１５２は、ハウジング部ＨＰの底面ＨＰＦに配置される。そして、ローラー支持部１５２の上端側面は、ローラー１５１の両側末端と結合される。そこで、ローラー支持部１５２は、ローラー１５１がハウジング部ＨＰの底面ＨＰＦから離隔されるように支持することができる。このとき、ローラー１５１は、ローラー支持部１５２に回転可能であるように結合され得る。
【００４２】
昇降部１６０は、ローラー部１５０の駆動に合わせて表示部ＤＰを上下方向に移動させる。昇降部１６０は、リンク部１６１、ヘッドバー１６２、スライドレール１６３、スライダー１６４、モータ１６５及び回転部１６６を含む。
【００４３】
昇降部１６０のリンク部１６１は、複数のリンク１６１ａ、１６１ｂ、及び複数のリンク１６１ａ、１６１ｂそれぞれを連結するヒンジ部１６１ｃを含む。具体的に、複数のリンク１６１ａ、１６１ｂは、第１リンク１６１ａ及び第２リンク１６１ｂを含み、第１リンク１６１ａ及び第２リンク１６１ｂは、はさみ形状に互いに交差して、ヒンジ部１６１ｃを媒介にして回転可能に締結される。そこで、リンク部１６１は、上下方向に移動するとき、複数のリンク１６１ａ、１６１ｂそれぞれが互いに離れるか近くなる方向に回転できる。
【００４４】
昇降部１６０のヘッドバー１６２は、表示部ＤＰの最上端に固定される。ヘッドバー１６２は、リンク部１６１と連結され、リンク部１６１の複数のリンク１６１ａ、１６１ｂの回転によって表示部ＤＰを上下方向に移動させることができる。即ち、表示部ＤＰは、ヘッドバー１６２及びリンク部１６１により上下方向に移動できる。
【００４５】
ヘッドバー１６２は、表示部ＤＰの正面で表示される映像を遮ることのないように表示部ＤＰの最上端のエッジに隣接する面の一部分だけを覆う。表示部ＤＰとヘッドバー１６２は、スクリューで固定され得るが、これに制限されるものではない。
【００４６】
昇降部１６０のスライドレール１６３は、複数のリンク１６１ａ、１６１ｂの移動経路を提供する。複数のリンク１６１ａ、１６１ｂのうち一部は、スライドレール１６３に回転可能に締結され、スライドレール１６３の軌跡に沿って動きがガイドされ得る。複数のリンク１６１ａ、１６１ｂのうち一部は、スライドレール１６３に沿って移動可能に備えられるスライダー１６４に締結され、スライドレール１６３の軌跡に沿って移動できる。
【００４７】
モータ１６５は、別途の外部電源または内蔵バッテリー等のような電源生成部に連結され、電源の供給を受けることができる。モータ１６５は、回転力を発生させて回転部１６６に駆動力を提供する。
【００４８】
回転部１６６は、モータ１６５と連結され、モータ１６５からの回転運動を直線往復運動に変換するように構成される。即ち、モータ１６５の回転運動を回転部１６６に固定された構造物の直線往復運動に変換できる。例えば、回転部１６６は、シャフトとシャフトに締結されるナットを含むボールスクリューに具現され得るが、これに制限されるものではない。
【００４９】
モータ１６５及び回転部１６６は、リンク部１６１と連動して表示部ＤＰを昇降させることができる。リンク部１６１は、リンク構造に形成され、モータ１６５及び回転部１６６からの駆動力の伝達を受けて折り畳まれるか（ｆｏｌｄｉｎｇ）、広げられる（ｕｎｆｏｌｄｉｎｇ）動作を繰り返して遂行することができる。
【００５０】
具体的に、モータ１６５が駆動されることで回転部１６６の構造物が直線運動をすることができる。即ち、第２リンク１６１ｂの一端が連結された回転部１６６の一部分が直線運動をすることができる。そこで、第２リンク１６１ｂの一端がモータ１６５側に移動でき、複数のリンク１６１ａ、１６１ｂが折り畳まれるようになってリンク部１６１の高さが減少し得る。また、複数のリンク１６１ａ、１６１ｂが折り畳まれる過程で第１リンク１６１ａに連結されたヘッドバー１６２もまた下降するようになり、ヘッドバー１６２に連結された表示部ＤＰの一端も下降するようになる。
【００５１】
従って、表示部ＤＰがローラー１５１にフルワインディングされた場合、昇降部１６０のリンク部１６１は折り畳まれた状態を維持する。即ち、表示部ＤＰがローラー１５１にフルワインディングされた場合、昇降部１６０は、最も低い高さを有し得る。表示部ＤＰがフルアンワインディングされた場合、昇降部１６０のリンク部１６１は、広げられた状態を維持する。即ち、表示部ＤＰがフルアンワインディングされた場合、昇降部１６０は、最も高い高さを有し得る。
【００５２】
一方、表示部ＤＰをワインディングする場合、ローラー１５１は回転でき、表示部ＤＰは、ローラー１５１にワインディングされ得る。図３を例に挙げて説明すると、ローラー１５１に表示部ＤＰの下側エッジが連結される。そして、ローラー１５１が第１方向ＤＲ１、即ち、時計回りに回転すると、表示部ＤＰは、表示部ＤＰの背面がローラー１５１の表面に密着してワインディングされ得る。
【００５３】
表示部ＤＰをアンワインディングする場合、ローラー１５１は回転でき、表示部ＤＰは、ローラー１５１からアンワインディングされ得る。図３を例に挙げて説明すると、ローラー１５１が第２方向ＤＲ２、即ち、反時計回りに回転すると、ローラー１５１にワインディングされた表示部ＤＰがローラー１５１からアンワインディングされ、ハウジング部ＨＰの外部に配置され得る。
【００５４】
いくつかの実施例において、上述した駆動部ＭＰ以外に他の構造を有する駆動部ＭＰが表示装置１００に適用されてもよい。即ち、表示部ＤＰをワインディング及びアンワインディングすることができれば、上述したローラー部１５０及び昇降部１６０の構成が変更されてもよく、一部の構成が省略されるか、他の構成がさらに加えられてもよい。
【００５５】
＜表示部＞
図４は、本発明の一実施例に係る表示装置の表示部の平面図である。図５は、本発明の一実施例に係る表示装置の表示部の断面図である。
【００５６】
図４を参照すると、表示部ＤＰは、バックカバー１１０、表示パネル１２０、フレキシブルフィルム１３０及び印刷回路基板１４０を含む。
【００５７】
表示パネル１２０は、ユーザに映像を表示するためのパネルである。表示パネル１２０は、映像を表示するための表示素子、表示素子を駆動するための駆動素子、及び表示素子及び駆動素子に各種の信号を伝達する配線等が配置され得る。表示素子は、表示パネル１２０の種類によって異に定義され得、例えば、表示パネル１２０が有機発光表示パネルである場合、表示素子は、アノード、有機発光層及びカソードを含む有機発光素子であってよい。例えば、表示パネル１２０が液晶表示パネルである場合、表示素子は、液晶表示素子であってよい。以下においては、表示パネル１２０が有機発光表示パネルであるものと仮定するが、表示パネル１２０が有機発光表示パネルに制限されるものではない。また、本発明の一実施例に係る表示装置１００は、ローラブル表示装置であるので、表示パネル１２０は、ローラー１５１にワインディングまたはアンワインディングされるためにフレキシブル表示パネルに具現され得る。
【００５８】
表示パネル１２０は、表示領域ＡＡ及び非表示領域ＮＡを含む。
【００５９】
表示領域ＡＡは、表示パネル１２０で映像が表示される領域である。表示領域ＡＡには、複数のサブ画素を含む複数の画素及び複数のサブ画素を駆動するための回路が配置され得る。複数のサブ画素は、表示領域ＡＡを構成する最小単位であり、複数のサブ画素それぞれに表示素子が配置され得る。例えば、複数のサブ画素それぞれには、アノード、有機発光層及びカソードを含む有機発光素子が配置され得るが、これに制限されない。また、複数のサブ画素を駆動するための回路には、駆動素子及び配線等が含まれ得る。例えば、回路は、薄膜トランジスタ、ストレージキャパシタ、ゲート配線、データ配線等からなり得るが、これに制限されない。
【００６０】
非表示領域ＮＡは、映像が表示されない領域である。非表示領域ＮＡには、表示領域ＡＡの有機発光素子を駆動するための多様な配線及び回路等が配置される。例えば、非表示領域ＮＡには、表示領域ＡＡの複数のサブ画素及び回路に信号を伝達するためのリンク配線またはゲートドライバＩＣ、データドライバＩＣのような駆動ＩＣ等が配置され得るが、これに制限されない。
【００６１】
表示パネル１２０は、パッド領域Ｐを含む。パッド領域Ｐは、表示パネル１２０の表示領域ＡＡの側部から延びて、フレキシブルフィルム１３０が貼り付けられる領域と定義され得る。表示パネル１２０のパッド領域Ｐは、ローラー１５１の平面部１５１ａに隣接した曲面部１５１ｂにベンディング（曲げ）され得る。パッド領域Ｐについてのより詳細な説明は、図７ａ乃至図７ｃを参照して後述する。
【００６２】
フレキシブルフィルム１３０は、可撓性（malleability）を有するベースフィルムに各種の部品が配置されたフィルムであって、表示領域ＡＡの複数のサブ画素及び回路に信号を供給するためのフィルムであり、表示パネル１２０と電気的に連結され得る。フレキシブルフィルム１３０は、表示パネル１２０の非表示領域ＮＡの一端に配置され、電源電圧、データ電圧等を表示領域ＡＡの複数のサブ画素及び回路に供給する。図５に示されたフレキシブルフィルム１３０の個数は例示的なものであり、フレキシブルフィルム１３０の個数は、設計によって多様に変更され得、これに制限されない。
【００６３】
一方、フレキシブルフィルム１３０に、例えば、ゲートドライバＩＣ、データドライバＩＣのような駆動ＩＣが配置され得る。駆動ＩＣは、映像を表示するためのデータとそれを処理するための駆動信号を処理する部品である。駆動ＩＣは、実装される方式によってチップオングラス（Ｃｈｉｐ  Ｏｎ  Ｇｌａｓｓ；ＣＯＧ）、チップオンフィルム（Ｃｈｉｐ  Ｏｎ  Ｆｉｌｍ；ＣＯＦ）、テープキャリアパッケージ（Ｔａｐｅ  Ｃａｒｒｉｅｒ  Ｐａｃｋａｇｅ；ＴＣＰ）等の方式で配置され得る。ただし、説明の便宜のために、駆動ＩＣがフレキシブルフィルム１３０上に実装されたチップオンフィルム方式であるものと説明したが、これに制限されない。
【００６４】
印刷回路基板１４０は、フレキシブルフィルム１３０の一端に配置され、フレキシブルフィルム１３０と連結される。印刷回路基板１４０は、駆動ＩＣに信号を供給する部品である。印刷回路基板１４０は、駆動信号、データ信号等のような多様な信号を駆動ＩＣに供給する。印刷回路基板１４０には、各種の部品が配置され得る。例えば、印刷回路基板１４０には、タイミングコントローラ、電源部等が配置され得る。一方、図５においては、印刷回路基板１４０が２個であるものと示したが、印刷回路基板１４０の個数は、設計によって多様に変更され得、これに制限されない。
【００６５】
一方、図４には示されていないが、印刷回路基板１４０と連結される追加の印刷回路基板がさらに配置され得る。例えば、印刷回路基板１４０は、データ駆動部が実装されるソース印刷回路基板（Ｓｏｕｒｃｅ  ＰＣＢ；Ｓ−ＰＣＢ）と称され得、印刷回路基板１４０と連結される追加の印刷回路基板は、タイミングコントローラ等が実装されるコントロール印刷回路基板（Ｃｏｎｔｒｏｌ  ＰＣＢ；Ｃ−ＰＣＢ）と称され得る。追加の印刷回路基板は、ローラー１５１内に配置されてもよく、ローラー１５１の外部でハウジング部ＨＰ内に配置されてもよい。
【００６６】
バックカバー１１０は、表示パネル１２０、フレキシブルフィルム１３０及び印刷回路基板１４０の背面で配置され、表示パネル１２０、フレキシブルフィルム１３０及び印刷回路基板１４０を支持する。そこで、バックカバー１１０の大きさは、表示パネル１２０の大きさより大きくてよい。バックカバー１１０は、外部から表示部ＤＰの他の構成を保護することができる。バックカバー１１０は、剛性を有する物質で形成されるが、バックカバー１１０の少なくとも一部分は、表示パネル１２０と共にワインディングまたはアンワインディングされるためにフレキシビリティ（ｆｌｅｘｉｂｉｌｉｔｙ）を有し得る。例えば、バックカバー１１０は、ＳＵＳ（Ｓｔｅｅｌ  Ｕｓｅ  Ｓｔａｉｎｌｅｓｓ）またはインバー（Ｉｎｖａｒ）等の金属材質またはプラスチック等の物質からなり得る。ただし、バックカバー１１０の物質は、設計によって熱変形量、曲率半径、剛性等の物性条件を満たすならば、多様に変更され得、これに制限されない。
【００６７】
図５を参照すると、表示パネル１２０は、基板１２１、バッファ層１２２、画素部１２３、封止層１２４及び封止基板１２５を含む。
【００６８】
基板１２１は、表示パネル１２０の多様な構成を支持するためのベース部材であり、絶縁物質で構成され得る。基板１２１は、表示パネル１２０がワインディングまたはアンワインディングされるためにフレキシビリティを有する物質からなり得、例えば、ポリイミド（ＰＩ）等のようなプラスチック物質からなり得る。
【００６９】
バッファ層１２２は、基板１２１の外側から浸透した水分および／または酸素が拡散されることを防止できる。バッファ層１２２は、シリコン酸化物（ＳｉＯｘ）及びシリコン窒化物（ＳｉＮｘ）の単層や複層で構成され得るが、これに制限されない。
【００７０】
画素部１２３は、複数の有機発光素子及び有機発光素子を駆動するための回路を含む。画素部１２３は、表示領域ＡＡに対応する領域であってよい。有機発光素子は、アノード、有機発光層及びカソードを含むことができる。
【００７１】
アノードは、有機発光層に正孔を供給でき、仕事関数の高い導電性物質からなり得る。例えば、アノードは、スズ酸化物（Ｔｉｎ  Ｏｘｉｄｅ；ＴＯ）、インジウムスズ酸化物（Ｉｎｄｉｕｍ  Ｔｉｎ  Ｏｘｉｄｅ；ＩＴＯ）、インジウム亜鉛酸化物（Ｉｎｄｉｕｍ  Ｚｉｎｃ  Ｏｘｉｄｅ；ＩＺＯ）、インジウムスズ亜鉛酸化物（Ｉｎｄｉｕｍ  Ｚｉｎｃ  Ｔｉｎ  Ｏｘｉｄｅ；ＩＴＺＯ）等からなり得るが、これに制限されない。
【００７２】
有機発光層は、アノードから正孔の供給を受け、カソードから電子の供給を受けて光を発光できる。有機発光層は、有機発光層で発光された光の色相によって赤色有機発光層、緑色有機発光層、青色有機発光層及び白色有機発光層等からなり得る。このとき、有機発光層が白色有機発光層である場合、多様な色相のカラーフィルタがさらに配置され得る。
【００７３】
カソードは、有機発光層に電子を供給でき、仕事関数の低い導電性物質からなり得る。例えば、カソードは、マグネシウム（Ｍｇ）、銀（Ａｇ）、アルミニウム（Ａｌ）等のような金属及びこれらの合金からなる群から選択されたいずれか一つ以上からなり得るが、これに制限されない。
【００７４】
一方、有機発光素子で発光された光が放出される方向によって、表示パネル１２０は、トップエミッション（ｔｏｐ  ｅｍｉｓｓｉｏｎ）またはボトムエミッション（ｂｏｔｔｏｍ  ｅｍｉｓｓｉｏｎ）方式で構成され得る。
【００７５】
トップエミッション方式は、有機発光素子で発光された光が有機発光素子が形成された基板１２１の上部に発光される方式である。トップエミッション方式である場合、有機発光素子で発光された光を基板１２１の上部に、即ち、カソード側に進行させるために、アノードの下部に反射層が形成され得る。
【００７６】
ボトムエミッション方式は、有機発光素子で発光された光が有機発光素子が形成された基板１２１の下部に発光される方式である。ボトムエミッション方式である場合、有機発光素子で発光された光を基板１２１の下部に進行させるために、アノードは、透明導電性物質だけからなり得、カソードが反射率の高い金属物質からなり得る。
【００７７】
以下においては、説明の便宜のために、本発明の一実施例に係る表示装置１００がボトムエミッション方式の表示装置であるものと仮定して説明するが、これに制限されるものではない。
【００７８】
画素部１２３には、有機発光素子を駆動するための回路が配置される。回路は、薄膜トランジスタ、ストレージキャパシタ、ゲート配線、データ配線、電源配線等からなり得るが、表示装置１００の設計によって多様に変更され得る。
【００７９】
画素部１２３上に画素部１２３を覆う封止層１２４が配置される。封止層１２４は、画素部１２３の有機発光素子を密封する。封止層１２４は、外部の湿気、酸素、衝撃等から画素部１２３の有機発光素子を保護することができる。封止層１２４は、複数の無機層と複数の有機層が交互に積層されて形成され得る。例えば、無機層は、シリコン窒化物（ＳｉＮｘ）、シリコン酸化物（ＳｉＯｘ）、アルミニウム酸化物（ＡｌＯｘ）等のような無機物からなり得、有機層は、エポキシ（Ｅｐｏｘｙ）系列またはアクリル（Ａｃｒｙｌ）系列のポリマーが使用され得るが、これに制限されない。
【００８０】
封止層１２４上に封止基板１２５が配置される。封止基板１２５は、封止層１２４と共に画素部１２３の有機発光素子を保護する。封止基板１２５は、外部の湿気、酸素、衝撃等から画素部１２３の有機発光素子を保護することができる。封止基板１２５は、耐腐食性が強く、ホイル（ｆｏｉｌ）あるいは薄膜形態に加工が容易なアルミニウム（Ａｌ）、ニッケル（Ｎｉ）、クロム（Ｃｒ）、鉄（Ｆｅ）とニッケルの合金材質等の金属材質からなり得る。そこで、封止基板１２５を金属材質で形成することで超薄膜形態に封止基板１２５の具現が可能であり、外部の衝撃及びスクラッチに強い耐保護性が提供され得る。
【００８１】
封止層１２４と封止基板１２５との間に第１接着層ＡＤ１が配置され得る。第１接着層ＡＤ１は、封止層１２４と封止基板１２５を接着させることができる。第１接着層ＡＤ１は、接着性を有する物質からなり、熱硬化型または自然硬化型の接着剤であってよい。例えば、第１接着層ＡＤ１は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）等からなり得るが、これに制限されない。
【００８２】
一方、第１接着層ＡＤ１は、封止層１２４及び画素部１２３を囲むように配置され得る。即ち、画素部１２３は、バッファ層１２２及び封止層１２４により密封され得、封止層１２４及び画素部１２３は、バッファ層１２２と第１接着層ＡＤ１により密封され得る。第１接着層ＡＤ１は、封止層１２４及び封止基板１２５と共に画素部１２３の有機発光素子を外部の湿気、酸素、衝撃等から保護することができる。このとき、第１接着層ＡＤ１は、吸湿剤をさらに含むことができる。吸湿剤は、吸湿性を有するパーティクル（粒子）であってよく、外部から水分及び酸素等を吸収して、画素部１２３に水分及び酸素が浸透することを最小化することができる。
【００８３】
封止基板１２５上にバックカバー１１０が配置される。バックカバー１１０は、表示パネル１２０の封止基板１２５に接するように配置され、表示パネル１２０を保護することができる。バックカバー１１０は、表示パネル１２０を保護するために、剛性を有する物質で形成され得る。
【００８４】
封止基板１２５とバックカバー１１０との間に第２接着層ＡＤ２が配置される。第２接着層ＡＤ２は、封止基板１２５とバックカバー１１０を接着させることができる。第２接着層ＡＤ２は、接着性を有する物質からなり、熱硬化型または自然硬化型の接着剤であってよい。例えば、第２接着層ＡＤ２は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）等からなり得るが、これに制限されない。
【００８５】
図５においては、バックカバー１１０の複数の開口部１１１に第２接着層ＡＤ２が満たされていないものと示したが、第２接着層ＡＤ２がバックカバー１１０の複数の開口部１１１の一部または全体に満たされ得る。仮に、第２接着層ＡＤ２がバックカバー１１０の複数の開口部１１１の内側に満たされる場合、第２接着層ＡＤ２とバックカバー１１０間の接触面積が増加して剥離現象が防止され得る。
【００８６】
一方、図５には示されていないが、基板１２１の前面に透光性フィルムがさらに配置され得る。透光性フィルムは、表示パネル１２０の前面を保護するか、表示パネル１２０に入射する外部光を反射を最小化する等の機能を果たすことができる。例えば、透光性フィルムは、ＰＥＴ（ｐｏｌｙｅｔｈｙｌｅｎｅｔｅｒｅｐｈｔｈａｌａｔｅ）フィルム、反射防止フィルム、偏光フィルム及び透過度制御フィルム（ｔｒａｎｓｍｉｔｔａｎｃｅ  ｃｏｎｔｒｏｌｌａｂｌｅ  ｆｉｌｍ）の少なくとも一つのフィルムであってよいが、これに制限されない。
【００８７】
以下においては、図６を参照して、バックカバー１１０についてより詳細に説明する。
【００８８】
＜バックカバーの具体的な構成＞
図６は、本発明の一実施例に係る表示装置のバックカバーの平面図である。
【００８９】
図６を参照すると、バックカバー１１０は、支持領域ＰＡ、可撓性領域ＭＡ及び固定領域ＦＡを含む。支持領域ＰＡは、複数の開口部１１１が配置されていない領域であり、可撓性領域ＭＡは、表示パネル１２０が配置されて複数の開口部１１１が配置された領域であり、固定領域ＦＡは、印刷回路基板１４０及びフレキシブルフィルム１３０が固定される領域である。具体的に、バックカバー１１０の最上端から支持領域ＰＡ、可撓性領域ＭＡ及び固定領域ＦＡが順次に配置される。
【００９０】
バックカバー１１０の支持領域ＰＡは、バックカバー１１０の最上端の領域であり、ヘッドバー１６２と締結される領域である。支持領域ＰＡには、ヘッドバー１６２と締結され得る締結ホール１１３が配置される。このとき、支持領域ＰＡは、スクリューを通してヘッドバー１６２に締結され得るが、これに制限されるものではない。支持領域ＰＡがヘッドバー１６２と締結されることで、ヘッドバー１６２に締結されたリンク部１６１が上昇または下降時、バックカバー１１０も共に昇降または下降され得、バックカバー１１０に貼り付けられた表示パネル１２０もまた共に昇降または下降され得る。図６においては、締結ホール１１３が５個であるものと示したが、締結ホール１１３の個数は、これに制限されない。また、図６においては、バックカバー１１０が締結ホール１１３を使用してヘッドバー１６２と締結されるものと説明したが、これに制限されず、別途の締結ホールなしにバックカバー１１０とヘッドバー１６２が締結されてもよい。
【００９１】
バックカバー１１０の可撓性領域ＭＡは、支持領域ＰＡからバックカバー１１０の下側に延びた領域である。可撓性領域ＭＡには、複数の開口部１１１が配置され、表示パネル１２０が貼り付けられる領域である。
【００９２】
バックカバー１１０の可撓性領域ＭＡには、複数の開口部１１１が配置される。表示部ＤＰがローラー１５１にワインディングされる場合、バックカバー１１０の可撓性領域ＭＡ及び可撓性領域ＭＡに貼り付けられた表示パネル１２０の下端部分及び中央部分がローラー１５１にワインディングされ得る。このとき、バックカバー１１０の可撓性領域ＭＡは、複数の開口部１１１が形成されて高いフレキシビリティを有することができ、表示パネル１２０と共にローラー１５１に容易にワインディングされ得る。
【００９３】
バックカバー１１０の可撓性領域ＭＡは、第１領域Ａ１、第２領域Ａ２及び第３領域Ａ３を含む。バックカバー１１０の可撓性領域ＭＡの第１領域Ａ１は、表示パネル１２０のパッド領域Ｐと重畳する領域であり、第２領域Ａ２は、ローラー１５１にワインディングまたはアンワインディングされる領域であり、第３領域Ａ３は、表示装置１００のフルワインディング時、平らな状態を維持する領域である。バックカバー１１０の可撓性領域ＭＡについての詳細な説明は、図８ａ及び図８ｂを参照して後述する。
【００９４】
固定領域ＦＡは、可撓性領域ＭＡからバックカバー１１０の下側に延びた領域であり、ローラー１５１と締結されてローラー１５１に固定される領域である。固定領域ＦＡには、トップカバー１８０がローラー１５１に固定され得る複数の固定ホール１１２が配置される。複数の固定ホール１１２は、フレキシブルフィルム１３０それぞれの間、フレキシブルフィルム１３０の外側、印刷回路基板１４０の間及び印刷回路基板１４０の外側に配置され、結合部材１８１が複数の固定ホール１１２を貫通することでトップカバー１８０とローラー１５１が締結され得、そこで、トップカバー１８０とローラー１５１との間に配置されるバックカバー１１０、フレキシブルフィルム１３０及び印刷回路基板１４０をさらに安定的に固定できる。表示部ＤＰがワインディングまたはアンワインディングされるとき、固定領域ＦＡに配置されたフレキシブルフィルム１３０と印刷回路基板１４０が固定されずに揺れ得る。具体的に、表示部ＤＰがワインディングまたはアンワインディングされるとき、バックカバー１１０の固定領域ＦＡには、収縮または膨張による応力が加えられ得る。これによって、固定領域ＦＡの複数の固定ホール１１２は、トップカバー１８０と締結され得るように形成され、ローラー１５１及びトップカバー１８０の間に配置されたバックカバー１１０、フレキシブルフィルム１３０と印刷回路基板１４０が固定されるようにすることができる。一方、図６に示された複数の固定ホール１１２の個数は例示的なものであり、複数の固定ホール１１２の個数は、印刷回路基板１４０の個数、フレキシブルフィルム１３０の個数等に基づいて定められ得る。
【００９５】
固定領域ＦＡには、表示パネル１２０の一端に連結されたフレキシブルフィルム１３０及び印刷回路基板１４０が配置される。固定領域ＦＡは、フレキシブルフィルム１３０及び印刷回路基板１４０を保護するために、フレキシブルフィルム１３０及び印刷回路基板１４０がローラー１５１に曲面でない平面形状にワインディングされるようにすることができる。また、ローラー１５１も固定領域ＦＡに対応して一部分が平面形状になされ得る。これについてのより詳細な説明は、図７ａ及び図７ｂを参照して後述する。
【００９６】
バックカバー１１０の可撓性領域ＭＡは、表示部ＤＰの他の構成のうち少なくとも表示パネル１２０には重畳できる。バックカバー１１０の可撓性領域ＭＡのうち一部分は、表示パネル１２０と共にローラー１５１にワインディングまたはアンワインディングされ得、他の一部分は、平らな状態を維持できる。
【００９７】
バックカバー１１０の可撓性領域ＭＡに複数の開口部１１１が配置される。表示部ＤＰがワインディングまたはアンワインディングされるとき、複数の開口部１１１は、表示部ＤＰに加えられる応力により変形され得る。具体的に、表示部ＤＰがワインディングまたはアンワインディングされるとき、バックカバー１１０の可撓性領域ＭＡは、複数の開口部１１１が収縮または膨張することで変形され得る。そして、複数の開口部１１１が収縮または膨張することで、バックカバー１１０の可撓性領域ＭＡ上に配置された表示パネル１２０のスリップ（ｓｌｉｐ）現象が最小化されて表示パネル１２０に加えられる応力、即ち、ストレスを最小化することができる。図４及び図６においては、バックカバー１１０の可撓性領域ＭＡの第３領域Ａ３にも開口部１１１が配置されるものと示したが、第３領域Ａ３には、開口部１１１が配置されなくてもよい。
【００９８】
表示パネル１２０及びバックカバー１１０をワインディングするとき、表示パネル１２０とバックカバー１１０の曲率半径差によって、ローラー１５１にワインディングされる表示パネル１２０の長さとバックカバー１１０の長さに差が出るようになる。例えば、バックカバー１１０及び表示パネル１２０をローラー１５１にワインディングするとき、バックカバー１１０及び表示パネル１２０がローラー１５１に一回りワインディングされるために必要な長さは異なり得る。即ち、表示パネル１２０がローラー１５１を基準にバックカバー１１０より外側に配置されるので、表示パネル１２０がローラー１５１に一回りワインディングされるために必要な長さは、バックカバー１１０がローラー１５１に一回りワインディングされるために必要な長さより長くなり得る。このように、表示部ＤＰのワインディング時、曲率半径の差によりバックカバー１１０と表示パネル１２０とでワインディングされる長さに差が出るようになり、バックカバー１１０に貼り付けられた表示パネル１２０が滑って元の位置から移動することもあり得る。このとき、ワインディングにより発生した応力及び曲率半径の差によって表示パネル１２０がバックカバー１１０から滑る現象をスリップ現象と定義できる。スリップが過度に大きくなると、表示パネル１２０がバックカバー１１０から脱着するか、クラック等の不良が発生し得る。
【００９９】
このとき、本発明の一実施例に係る表示装置１００においては、表示部ＤＰがワインディングまたはアンワインディングされて表示部ＤＰに応力が加えられても、バックカバー１１０の複数の開口部１１１が柔軟に変形されてバックカバー１１０及び表示パネル１２０に加えられる応力を緩和させることができる。例えば、バックカバー１１０及び表示パネル１２０がローラー１５１にワインディングされるとき、バックカバー１１０及び表示パネル１２０を上下方向に変形させる応力が加えられ得る。このとき、バックカバー１１０の複数の開口部１１１がバックカバー１１０の上下方向に伸び得、バックカバー１１０の長さも柔軟に変形され得る。従って、バックカバー１１０と表示パネル１２０がワインディングされる過程で曲率半径差によるバックカバー１１０と表示パネル１２０の長さ差をバックカバー１１０の複数の開口部１１１が補償できる。また、バックカバー１１０と表示パネル１２０がワインディングされる過程で複数の開口部１１１が変形され、バックカバー１１０から表示パネル１２０に加えられる応力もまた緩和され得る。
【０１００】
図６を参照すると、複数の開口部１１１は、隣り合う行の複数の開口部１１１に対して互いに交互に配置される。例えば、一つの行に配置された複数の開口部１１１は、該当行に隣り合った行に配置された複数の開口部１１１と交互に配置される。具体的に、奇数行に配置された複数の開口部１１１の中心と、偶数行に配置された複数の開口部１１１の中心は交互に配置され得、例えば、開口部１１１の行方向に対する幅の１／２ずつ交互に配置され得る。ただし、図６に示された複数の開口部１１１の配置は例示的なものであり、これに制限されない。
【０１０１】
このとき、支持領域ＰＡと固定領域ＦＡには、可撓性領域ＭＡに形成されたような複数の開口部１１１が形成されない。即ち、支持領域ＰＡには締結ホール１１３が形成され、固定領域ＦＡには複数の固定ホール１１２のみが形成されるだけで、可撓性領域ＭＡに形成されたような複数の開口部１１１は形成されない。また、締結ホール１１３及び複数の固定ホール１１２は、複数の開口部１１１と形状が互いに異なる。支持領域ＰＡ及び固定領域ＦＡは、それぞれヘッドバー１６２とローラー１５１に固定される領域であり、可撓性領域ＭＡより剛性を有しなければならない。具体的に、支持領域ＰＡ及び固定領域ＦＡが剛性を有することで、支持領域ＰＡ及び固定領域ＦＡは、ヘッドバー１６２及びローラー１５１に固く固定され得る。従って、表示部ＤＰが駆動部ＭＰのローラー１５１及びヘッドバー１６２に固定され、駆動部ＭＰの動作によってハウジング部ＨＰの内部または外部に移動され得る。
【０１０２】
本発明の一実施例に係る表示装置１００においては、複数の開口部１１１が形成されたバックカバー１１０が表示パネル１２０の背面に配置され、表示パネル１２０を支持及び保護する。バックカバー１１０は、金属材質等で形成されて剛性を有すると同時に、バックカバー１１０のうち表示パネル１２０が配置される可撓性領域ＭＡに複数の開口部１１１が形成され、バックカバー１１０のフレキシビリティが向上し得る。そこで、表示装置１００の表示部ＤＰがハウジング部ＨＰの外部に配置されたフルアンワインディングされた状態で、剛性を有する材質からなり高い剛性を有するバックカバー１１０は、表示パネル１２０が平らに広げられるように支持することができる。これに対して、表示装置１００の表示部ＤＰがハウジング部ＨＰの内部に収納されたフルワインディングされた状態で、複数の開口部１１１により高いフレキシビリティを有するバックカバー１１０は、表示パネル１２０と共にローラー１５１にワインディングされて収納され得る。
【０１０３】
また、本発明の一実施例に係る表示装置１００においては、複数の開口部１１１の行方向に対する幅を調節して、バックカバー１１０がフレキシビリティを有するようにすることができ、バックカバー１１０のワインディング時に加えられる応力を緩和できる。具体的に、バックカバー１１０及び表示パネル１２０がローラーにワインディングされるとき、バックカバー１１０は、列方向に曲げられ得、複数の開口部１１１が列方向に伸びるように応力が加えられ得る。複数の開口部１１１は、行方向に対する幅を大きく形成することで、バックカバー１１０及び表示パネル１２０がローラー１５１にワインディングされるとき、複数の開口部１１１が列方向に容易に伸びることができ、バックカバー１１０に加えられる応力が緩和され得る。そこで、本発明の一実施例に係る表示装置１００においては、複数の開口部１１１の行方向に対する幅を調節してバックカバー１１０のフレキシビリティを高めることができ、バックカバー１１０及び表示パネル１２０がローラー１５１に容易にワインディングされ得る。また、複数の開口部１１１が列方向に膨張してバックカバー１１０及び表示パネル１２０に加えられる応力を緩和でき、表示パネル１２０の破損を低減することができる。
【０１０４】
＜表示装置の締結構造＞
図７ａは、本発明の一実施例に係る表示装置の締結前の構造を説明するための分解断面図である。図７ｂは、本発明の一実施例に係る表示装置の固定部材の配置に対する斜視図である。図７ｃは、本発明の一実施例に係る表示装置の締結後の構造に対する断面図である。
【０１０５】
まず、図７ａを参照すると、ローラー１５１の平面部１５１ａにバックカバー１１０の固定領域ＦＡが配置され、トップカバー１８０の結合部材１８１がバックカバー１１０の固定領域ＦＡの複数の固定ホール１１２を貫通することで、ローラー１５１に固定され得る。
【０１０６】
図７ａ及び図７ｃを参照すると、表示装置１００は、トップカバー１８０をさらに含む。トップカバー１８０は、外周面が曲面形状に形成され、ローラー１５１の平面部１５１ａ上に配置される。トップカバー１８０は、バックカバー１１０が巻かれる形状に追随するように外周面が曲面形状に形成されるが、このとき、トップカバー１８０の外周面の曲面形状が有する曲率は、ローラー１５１の曲率と同一であってよい。即ち、トップカバー１８０は、ローラー１５１の平面部１５１ａ上でローラー１５１と結合されたとき、その形状が実質的に円形になるようにローラー１５１と実質的に同じ曲率を有する外周面を有するように形成され得る。そこで、バックカバー１１０及び表示パネル１２０は、表示装置１００のワインディング時、実質的に円形形状を有するようにワインディングされ得る。
【０１０７】
図７ａ及び図７ｃを参照すると、トップカバー１８０は、ローラー１５１の平面部１５１ａ上でフレキシブルフィルム１３０及び印刷回路基板１４０を覆うように配置され得る。そこで、トップカバー１８０は、印刷回路基板１４０及びフレキシブルフィルム１３０を保護することができ、樹脂等のような絶縁物質からなり得るが、これに制限されない。また、フレキシブルフィルム１３０及び印刷回路基板１４０を保護し、フレキシブルフィルム１３０及び印刷回路基板１４０をバックカバー１１０に固定させる構成要素は、トップカバー１８０に制限されず、多様な機構的構成要素が使用され得る。
【０１０８】
図７ａ及び図７ｃを参照すると、トップカバー１８０は、結合部材１８１を通してローラー１５１に固定され得る。トップカバー１８０は、バックカバー１１０の固定領域ＦＡの複数の固定ホール１１２と対応する位置に結合部材１８１が貫通できる貫通ホール１８２が形成され、結合部材１８１がトップカバー１８０の貫通ホール１８２及びバックカバー１１０の固定領域ＦＡの複数の固定ホール１１２を貫通することで、ローラー１５１の結合ホール１５１ｃに結合されることにより、バックカバー１１０がローラー１５１に固定され得る。このとき、トップカバー１８０は、ローラー１５１に単方向締結方式で結合され、ローラー１５１の平面部１５１ａ上に配置されたバックカバー１１０、表示パネル１２０、フレキシブルフィルム１３０及び印刷回路基板１４０を固定することができる。トップカバー１８０をローラー１５１に固定する結合部材１８１は、スクリュー、ボルト、ナット等であってよいが、これに制限されない。また、図７ａ及び図７ｃにおいては、トップカバー１８０が２個の結合部材１８１を通してローラー１５１に固定されるものと示したが、これに制限されるものではなく、結合部材１８１の個数は、設計によって多様に変更され得る。
【０１０９】
図７ａを参照すると、ローラー１５１とバックカバー１１０との間に固定部材１７０が配置される。固定部材１７０は、ローラー１５１上に配置されるバックカバー１１０を固定できる。固定部材１７０は、バックカバー１１０をローラー１５１に固定させることのできる物質からなり得る。例えば、固定部材１７０は、接着物質からなってもよく、磁性体からなってもよい。
【０１１０】
図７ｂを参照すると、固定部材１７０は、ローラー１５１の平面部１５１ａの一部及び曲面部１５１ｂの一部に配置され得る。具体的に、固定部材１７０は、ローラー１５１の平面部１５１ａでローラー１５１の外側に配置された結合ホール１５１ｃとローラー１５１の中心に配置された結合ホール１５１ｃそれぞれの間に分離されて配置され得、曲面部１５１ｂの一部を覆うように配置され得る。図７ｂにおいては、固定部材１７０がローラー１５１の平面部１５１ａと曲面部１５１ｂにそれぞれ分離されて配置されるものと示したが、これに制限されるものではなく、固定部材１７０は、一体になされてもよい。
【０１１１】
図７ｃを参照すると、固定部材１７０は、バックカバー１１０をローラー１５１にベンディングされた形状に固定できる。例えば、バックカバー１１０の第１領域Ａ１は、ローラー１５１の平面部１５１ａと隣接した曲面部１５１ｂにベンディングされるが、固定部材１７０は、バックカバー１１０がベンディングされた形状を維持してローラー１５１に固定されるようにすることができる。そこで、固定部材１７０は、表示装置１００のワインディング時、ローラー１５１の曲率半径の小さな曲面部１５１ｂの一部に配置されたバックカバー１１０に応力が発生することを低減することができる。
【０１１２】
図７ｃを参照すると、表示パネル１２０のパッド領域Ｐは、ローラー１５１にベンディングされた形状に固定され得る。具体的に、バックカバー１１０の第１領域Ａ１が固定部材１７０によりローラー１５１の平面部１５１ａに隣接した曲面部１５１ｂにベンディングされ、そこで、バックカバー１１０上の表示パネル１２０のパッド領域Ｐもまたローラー１５１にベンディングされた形状に固定され得る。そこで、表示パネル１２０のパッド領域Ｐは、表示装置１００のワインディングまたはアンワインディング時、ローラー１５１にベンディングされた形状を維持することで、表示パネル１２０のパッド領域Ｐに応力が発生することを低減することができる。
【０１１３】
＜表示装置のワインディング過程＞
図８ａ及び図８ｂは、本発明の一実施例に係る表示装置の断面図である。図８ａは、ローラー１５１にバックカバー１１０がフルアンワインディングされた状態での断面図である。図８ｂは、ローラー１５１にバックカバー１１０がフルワインディングされた状態での断面図である。図８ａ及び図８ｂにおいては、図示の便宜のために、リンク部１６１、ヘッドバー１６２等のような構成の図示を省略した。
【０１１４】
図８ａを参照すると、バックカバー１１０がフルアンワインディングされた状態であるとき、バックカバー１１０の固定領域ＦＡ、バックカバー１１０の可撓性領域ＭＡの第１領域Ａ１、第２領域Ａ２の一部及び表示パネル１２０のパッド領域Ｐは、ハウジング部ＨＰの内部に配置され、表示パネル１２０の表示領域ＡＡ、バックカバー１１０の可撓性領域ＭＡの第２領域Ａ２の他の一部、第３領域Ａ３及び支持領域ＰＡは、ハウジング部ＨＰの外部に配置され得る。
【０１１５】
図８ａを参照すると、ローラー１５１に締結されたバックカバー１１０の固定領域ＦＡ、表示パネル１２０のパッド領域Ｐ及びバックカバー１１０の可撓性領域ＭＡの第１領域Ａ１を除き、表示パネル１２０の表示領域ＡＡ、バックカバー１１０の可撓性領域ＭＡの第２領域Ａ２、第３領域Ａ３及び支持領域ＰＡは、平らな状態であってよい。
【０１１６】
図８ｂを参照すると、ローラー１５１にバックカバー１１０の固定領域ＦＡ、表示パネル１２０のパッド領域Ｐ及びバックカバー１１０の可撓性領域ＭＡの第１領域Ａ１がワインディングされた状態で表示パネル１２０の表示領域ＡＡの一部分及びバックカバー１１０の可撓性領域ＭＡの第２領域Ａ２がさらにワインディングされた状態である。
【０１１７】
表示パネル１２０の表示領域ＡＡの一部分及びバックカバー１１０の可撓性領域ＭＡの第２領域Ａ２は、ローラー１５１の曲面部１５１ｂ及びローラー１５１の平面部１５１ａ上に配置されるトップカバー１８０に重畳するようにワインディングされ、ローラー１５１及びトップカバー１８０の曲面形状に沿って曲げられ得る。
【０１１８】
具体的に、表示パネル１２０の表示領域ＡＡの一部分及びバックカバー１１０の可撓性領域ＭＡの第２領域Ａ２は、トップカバー１８０を覆うようにローラー１５１にワインディングされ、ローラー１５１及びトップカバー１８０の形状に沿って曲げられ得る。トップカバー１８０は曲面を有するので、表示パネル１２０の表示領域ＡＡの一部分及びバックカバー１１０の可撓性領域ＭＡの第２領域Ａ２が曲面形状に曲げられ得る。特に、トップカバー１８０の上面の曲面形状は、ローラー１５１に対応する形状を有するので、ローラー１５１にワインディングされた表示パネル１２０の表示領域ＡＡの一部分及びバックカバー１１０の可撓性領域ＭＡの第２領域Ａ２の断面は、実質的に円形状を有することができる。
【０１１９】
図８ｂを参照すると、表示パネル１２０の表示領域ＡＡの他の一部分及びバックカバー１１０の可撓性領域ＭＡの第３領域Ａ３は、ローラー１５１にワインディングされず、平らな状態を維持できる。
【０１２０】
一方、ハウジング部ＨＰの開口部ＨＰＯは、バックカバー１１０及び表示パネル１２０がローラー１５１にフルワインディングされた場合、表示パネル１２０の表示領域ＡＡの一部の領域が外部から視認されるように構成され得る。バックカバー１１０及び表示パネル１２０がローラー１５１にフルワインディングされた場合、バックカバー１１０の可撓性領域ＭＡの第２領域Ａ２に配置される表示パネル１２０の表示領域ＡＡの一部分は、ローラー１５１にワインディングされ得、バックカバー１１０の可撓性領域ＭＡの第３領域Ａ３に配置される表示パネル１２０の表示領域ＡＡの他の一部分は、平らな状態であってよい。このとき、ハウジング部ＨＰの開口部ＨＰＯは、平らな状態で配置されたバックカバー１１０の可撓性領域ＭＡの第３領域Ａ３に配置された表示パネル１２０と対向する位置にも配置され、バックカバー１１０及び表示パネル１２０がフルワインディングされた場合にも、表示パネル１２０の表示領域ＡＡの一部の領域がハウジング部ＨＰの外部から視認されるようにすることができる。
【０１２１】
本発明の一実施例に係る表示装置１００においては、固定領域ＦＡにより表示部ＤＰがフルアンワインディングされた状態であるとき、バックカバー１１０を平坦に維持でき、剛性を確保することができる。表示部ＤＰがフルアンワインディングされた状態である場合、固定領域ＦＡは、表示パネル１２０が平坦に維持されるようにすることができる。固定領域ＦＡは、複数の開口部１１１が形成された可撓性領域ＭＡと比較して高い剛性を有することができるので、フルアンワインディング状態で表示パネル１２０が平らな状態を維持するようにすることができる。また、固定領域ＦＡは、表示部ＤＰの外側で衝撃に対して高い耐衝撃性を有することができるので、バックカバー１１０とバックカバー１１０に貼り付けられた表示パネル１２０を保護することができる。
【０１２２】
また、本発明の一実施例に係る表示装置においては、固定領域ＦＡが常に平らな状態を維持して、固定領域ＦＡに貼り付けられたフレキシブルフィルム１３０及び印刷回路基板１４０の損傷を最小化することができる。固定領域ＦＡは、フレキシブルフィルム１３０及び印刷回路基板１４０が貼り付けられる領域であり、常に平らな状態を維持できる。そこで、固定領域ＦＡは、常に平らな状態を維持できるので、固定領域ＦＡと同様に複数の開口部１１１が形成される必要のない領域であり得る。具体的に、バックカバー１１０がローラー１５１にワインディングされるとき、バックカバー１１０は、ローラー１５１の形状に沿って曲げられてワインディングされ得る。そこで、本発明の他の実施例に係る表示装置においては、固定領域ＦＡがワインディングされるローラー１５１の一部分を平面形状に形成して、固定領域ＦＡがローラー１５１に平らにワインディングされるようにすることができる。固定領域ＦＡは、ローラー１５１にワインディングされるにもかかわらず、常に平らな状態を維持できるので、固定領域ＦＡに貼り付けられたフレキシブルフィルム１３０及び印刷回路基板１４０も常に平らな状態を維持できる。例えば、表示部ＤＰがフルアンワインディングされた状態である場合、フレキシブルフィルム１３０及び印刷回路基板１４０は、高い剛性を有する固定領域ＦＡにより平坦に維持され得る。逆に、表示部ＤＰがフルワインディングされた状態である場合、フレキシブルフィルム１３０及び印刷回路基板１４０は、ローラー１５１の平面部分に安着するので、平坦に維持され得る。従って、本発明の一実施例に係る表示装置１００においては、フレキシブルフィルム１３０及び印刷回路基板１４０が繰り返して曲げられることがなく、フレキシブルフィルム１３０及び印刷回路基板１４０の損傷を最小化することができる。
【０１２３】
従来の表示装置において、ローラーは、平面部に隣接した曲面部での曲率半径が曲面部の他の一部での曲率半径に比して小さく形成され得る。そこで、表示装置をワインディングまたはアンワインディングする場合、ローラーの平面部に隣接した曲面部に配置されたバックカバー及び表示パネルは、曲げられることと広げられることを繰り返すようになり、これによって、バックカバー及び表示パネルに応力が発生し得る。
【０１２４】
そこで、本発明の一実施例に係る表示装置１００においては、ローラー１５１の平面部１５１ａの一部及び曲面部１５１ｂの一部に固定部材１７０を配置して、バックカバー１１０及び表示パネル１２０をローラー１５１にベンディングされた形状に固定させることで、表示装置１００のワインディングまたはアンワインディング時、バックカバー１１０及び表示パネル１２０に発生する応力を低減できる。具体的に、バックカバー１１０の第１領域Ａ１及び表示パネル１２０のパッド領域Ｐは、ローラー１５１の平面部１５１ａに隣接した曲面部１５１ｂにベンディングされ得る。このとき、固定部材１７０は、ローラー１５１とバックカバー１１０との間に配置され、バックカバー１１０の第１領域Ａ１及び表示パネル１２０のパッド領域Ｐがベンディングされた形状を維持するように固定できる。即ち、固定部材１７０は、表示装置１００のワインディングまたはアンワインディング時、バックカバー１１０及び表示パネル１２０が曲げられることと広げられることを繰り返さないように、バックカバー１１０及び表示パネル１２０をローラー１５１にベンディングされた形状に固定させることができる。従って、ローラー１５１の平面部１５１ａに隣接した曲面部１５１ｂの一部に固定部材１７０を配置して、ローラー１５１の曲率半径を補償すると同時に、バックカバー１１０及び表示パネル１２０がローラー１５１の形状に沿って曲げられた形状にローラー１５１に固定され得る。そこで、表示装置１００のワインディングまたはアンワインディング時、ローラー１５１の曲率半径の小さな部分に配置されるバックカバー１１０及び表示パネル１２０に発生する応力を最小化して、バックカバー１１０及び表示パネル１２０が損傷されることを低減できる。
【０１２５】
本発明の一実施例に係る表示装置１００においては、ハウジング部ＨＰの開口部ＨＰＯが表示パネル１２０の表示領域ＡＡの一部を視認されるように構成され、表示装置１００のフルワインディング時、表示パネル１２０の表示領域ＡＡの一部の領域が外部から視認され得る。具体的に、表示装置１００のフルワインディング時、バックカバー１１０の可撓性領域ＭＡの第３領域Ａ３及び第３領域Ａ３に配置される表示パネル１２０は、平らな状態を維持できる。このとき、ハウジング部ＨＰの開口部ＨＰＯは、平らな状態を維持する表示パネル１２０の表示領域ＡＡの一部と対向する位置に配置され得る。従って、表示装置１００がフルワインディングされても、表示パネル１２０の表示領域ＡＡの一部の領域がハウジング部ＨＰの外部から視認され得る。
【０１２６】
＜ハウジング部のウィンドウ＞
図９は、本発明の他の実施例に係る表示装置の断面図である。図９の表示装置９００は、図１ａ乃至図８ｂの表示装置１００と比較して、ウィンドウ９９０のみが加えられただけで、他の構成は実質的に同一であるので、重複した説明は省略する。
【０１２７】
図９を参照すると、表示装置９００は、ウィンドウ９９０をさらに含む。ウィンドウ９９０は、ハウジング部ＨＰの開口部ＨＰＯの少なくとも一部に配置され、ハウジング部ＨＰの一端部に固定され得る。具体的に、バックカバー１１０及び表示パネル１２０がローラー１５１にフルワインディングされた場合、表示パネル１２０の表示領域ＡＡの一部分は、ローラー１５１にワインディングされ得、他の一部分は、平らな状態であり得る。このとき、ウィンドウ９９０は、平らな状態で配置された表示パネル１２０の表示領域ＡＡと対向する位置に配置され、表示パネル１２０がフルワインディングされた場合にも、表示パネル１２０の表示領域ＡＡの一部の領域がハウジング部ＨＰの外部から視認されるようにすることができる。ウィンドウ９９０は、ガラス、プラスチック等の透明な物質からなり得るが、これに制限されるものではない。
【０１２８】
本発明の他の実施例に係る表示装置９００においては、ハウジング部ＨＰの開口部ＨＰＯの少なくとも一部にウィンドウ９９０が配置され、表示装置９００のフルワインディング時、表示パネル１２０の表示領域ＡＡの一部の領域が外部から視認され得る。具体的に、表示装置９００のフルワインディング時、バックカバー１１０の可撓性領域ＭＡの第３領域Ａ３及び第３領域Ａ３に配置される表示パネル１２０は、平らな状態を維持できる。このとき、平らな状態を維持する表示パネル１２０の表示領域ＡＡの一部分と対向する位置に透明な物質からなるウィンドウ９９０を配置できる。従って、表示パネル１２０の表示領域ＡＡの一部分にウィンドウ９９０を配置することで、表示装置９００がフルワインディングされても、表示パネル１２０の表示領域ＡＡの一部の領域がハウジング部ＨＰの外部から視認されるようにすることができる。
【０１２９】
＜フレキシブルフィルムと重畳するように配置される印刷回路基板＞
図１０は、本発明のまた他の実施例に係る表示装置の断面図である。図１０の表示装置１０００は、図１ａ乃至図８ｂの表示装置１００と比較して、印刷回路基板１０４０のみが異なるだけで、他の構成は実質的に同一であるので、重複した説明は省略する。
【０１３０】
図１０を参照すると、印刷回路基板１０４０は、一端及び一端の反対側の他端を含む。印刷回路基板１０４０は、ローラー１５１の平面部１５１ａ上で一端がフレキシブルフィルム１３０と連結され、印刷回路基板１０４０の中心部及び他端は、フレキシブルフィルム１３０と重畳するように配置され得る。そこで、フレキシブルフィルム１３０及び印刷回路基板１０４０は、ローラー１５１の平面部１５１ａ上に安定的に配置され得る。
【０１３１】
本発明のまた他の実施例に係る表示装置１０００においては、印刷回路基板１０４０の中心部及び他端をフレキシブルフィルム１３０と重畳するように配置して、印刷回路基板１０４０及びフレキシブルフィルム１３０がローラー１５１の平面部１５１ａ上に安定的に配置され得る。印刷回路基板１０４０の中心部及び他端がフレキシブルフィルム１３０と重畳するように配置される場合、ローラー１５１の平面部１５１ａ上でフレキシブルフィルム１３０及び印刷回路基板１０４０が配置される空間が確保され、フレキシブル基板または印刷回路基板１０４０がローラー１５１の曲面部１５１ｂに配置されることを低減できる。従って、印刷回路基板１０４０の中心部及び他端をフレキシブルフィルム１３０と重畳するように配置して、フレキシブルフィルム１３０及び印刷回路基板１０４０がローラー１５１の平面部１５１ａ上に安定的に配置され得、そこで、フレキシブルフィルム１３０及び印刷回路基板１０４０が損傷されることを低減できる。
【０１３２】
本発明の実施例に係る表示装置は、下記のように説明され得る。
【０１３３】
本発明の一実施例に係る表示装置は、複数の画素を有する表示パネル、表示パネルと重畳するように配置されたバックカバー、バックカバー及び表示パネルをワインディング（ｗｉｎｄｉｎｇ）またはアンワインディング（ｕｎｗｉｎｄｉｎｇ）させるように構成され、平面部及び曲面部を有するローラー、及びバックカバーをローラーに固定するように構成され、平面部及び曲面部の一部に配置される固定部材を含むことができる。
【０１３４】
本発明の他の特徴によれば、表示装置は、平面部上に配置されるトップカバー、及びトップカバーを平面部に固定するための結合部材をさらに含み、トップカバーは、曲面形状の外周面を有し得る。
【０１３５】
本発明のまた他の特徴によれば、表示装置は、表示パネルの一端に配置されたフレキシブルフィルム、及びフレキシブルフィルムと連結された印刷回路基板をさらに含み、フレキシブルフィルム及び印刷回路基板は、ローラー及びトップカバーの間に配置され得る。
【０１３６】
本発明のまた他の特徴によれば、印刷回路基板は、フレキシブルフィルムと連結された一端及び一端の反対側の他端を含み、印刷回路基板の他端は、フレキシブルフィルムと重畳するように配置され得る。
【０１３７】
本発明のまた他の特徴によれば、固定部材は、平面部に隣接した曲面部の一部に配置され、バックカバーをローラーに固定させることができる。
【０１３８】
本発明のまた他の特徴によれば、曲面部の一部は、曲面部の他の一部に比して曲率半径が小さくてよい。
【０１３９】
本発明のまた他の特徴によれば、表示パネルは、表示領域及び表示領域の側部から延びて、フレキシブルフィルムが貼り付けられるパッド領域を含み、パッド領域は、固定部材によりローラーに固定され得る。
【０１４０】
本発明のまた他の特徴によれば、表示領域は、ローラーによりワインディングまたはアンワインディングされ得る。
【０１４１】
本発明のまた他の特徴によれば、バックカバー及び表示パネルが移動できる開口部を含むハウジング部をさらに含み、開口部は、表示パネルがフルワインディングされた場合、表示領域の一部の領域が外部から視認されるように構成され得る。
【０１４２】
本発明のまた他の特徴によれば、表示装置は、開口部の少なくとも一部に配置され、ハウジング部に固定されるウィンドウをさらに含むことができる。
【０１４３】
本発明の他の実施例に係る表示装置は、映像を表示するための表示パネル、表示パネルと共に巻かれ得るように構成されるバックカバー、平面部及び曲面部を含むローラー、ローラーにバックカバーを接着させる固定部材、及び平面部上でローラーに固定されるトップカバーを含むことができる。
【０１４４】
本発明の他の特徴によれば、固定部材は、平面部及び平面部と隣接した曲面部の一部に配置され得る。
【０１４５】
本発明のまた他の特徴によれば、バックカバーは、平面部に配置される固定領域、固定領域から延びて、表示パネルが重畳する可撓性領域を含み、固定領域の一部及び可撓性領域の一部は、固定部材によりローラーに固定され得る。
【０１４６】
本発明のまた他の特徴によれば、ローラー及びトップカバーの間に配置され、表示パネルの一端に連結されるフレキシブルフィルム、及びフレキシブルフィルムの他端に連結される印刷回路基板を含み、印刷回路基板の中心部は、フレキシブルフィルム上に配置され得る。
【０１４７】
本発明のまた他の特徴によれば、バックカバー及び表示パネルがローラーにフルワインディングされた場合、表示パネルの一部を視認できる開口部を含むハウジング部をさらに含むことができる。
【０１４８】
本発明のまた他の特徴によれば、表示パネルの一部は、平面部と隣接した曲面部の一部に固定され、表示パネルの他の一部は、ローラーにワインディングまたはアンワインディングされ得る。
【０１４９】
以上、添付の図面を参照して、本発明の実施例をさらに詳細に説明したが、本発明は、必ずしもこのような実施例に限定されるものではなく、本発明の技術思想を外れない範囲内で多様に変形実施され得る。従って、本発明に開示された実施例は、本発明の技術思想を制限するためのものではなく、説明するためのものであり、このような実施例によって本発明の技術思想の範囲が制限されるものではない。それゆえ、以上において記述した実施例は、全ての面で例示的なものであり、制限的ではないものと理解すべきである。本発明の保護範囲は、下記の請求の範囲によって解釈されるべきであり、それと同等な範囲内にある全ての技術思想は、本発明の権利範囲に含まれるものと解釈されるべきである。
【図１ａ】
0006937876.tif 000002
【図１ｂ】
0006937876.tif 000003
【図２】
0006937876.tif 000004
【図３】
0006937876.tif 000005
【図４】
0006937876.tif 000006
【図５】
0006937876.tif 000007
【図６】
0006937876.tif 000008
【図７ａ】
0006937876.tif 000009
【図７ｂ】
0006937876.tif 000010
【図７ｃ】
0006937876.tif 000011
【図８ａ】
0006937876.tif 000012
【図８ｂ】
0006937876.tif 000013
【図９】
0006937876.tif 000014
【図１０】
0006937876.tif 000015